(57)【要約】【課題】  高輝度な照明が可能な光源装置およびそれを用いた投射型表示装置を提供すること。【解決手段】  光を出射する固体光源１１ｒと、固体光源１１ｒを載置する基板１２と、を備えた光源装置１０Ｒであって、基板１２には凹部１４が形成され、凹部１４の上には、固体光源１１ｒが覆うように配置され、凹部１４と固体光源１１ｒとで、固体光源１１ｒと熱交換する冷媒が流動する流路１５が形成されていることを特徴とする。【選択図】  図３
2005079467.tif 000002
【特許請求の範囲】
【請求項１】
光を出射する固体光源と、該固体光源を載置する基板と、を備えた光源装置であって、
前記基板には凹部が形成され、
該凹部の上には、前記固体光源が覆うように配置され、
前記凹部と前記固体光源とで、前記固体光源と熱交換する冷媒が流動する流路が形成されていることを特徴とする光源装置。
【請求項２】
前記基板の上には、前記固体光源と電気的に接続される導電層が形成され、
前記凹部が、前記導電層の膜厚と同じ深さに形成されていることを特徴とする請求項１記載の光源装置。
【請求項３】
前記基板の上には、前記固体光源と電気的に接続される導電層が形成され、
前記凹部が、前記導電層の膜厚よりも深く形成されていることを特徴とする請求項１記載の光源装置。
【請求項４】
前記冷媒と接触する前記流路の内周面には、絶縁膜が形成されていることを特徴とする請求項１から３のいずれかに記載の光源装置。
【請求項５】
前記固体光源が前記基板にフリップチップ実装されていることを特徴とする請求項１から４のいずれかに記載の光源装置。
【請求項６】
前記基板には、少なくとも１つ以上の前記凹部が形成され、
複数の前記固体光源が前記凹部の上に配置されていることを特徴とする請求項１から５のいずれかに記載の光源装置。
【請求項７】
前記基板の前記固体光源が配置されていない裏面には、放熱凹部が形成され、
前記裏面には、前記放熱凹部を覆い放熱流路を形成する放熱板が配置され、
前記基板には、前記流路と前記放熱流路とを連通させる連通流路が形成されていることを特徴とする請求項１から６のいずれかに記載の光源装置。
【請求項８】
光源装置と、該光源装置からの光を変調する光変調手段と、該光変調手段によって変調された光を投射する投射手段とを備えた投射型表示装置であって、
前記光源装置が、請求項１から７のいずれかに記載の光源装置であることを特徴とする投射型表示装置。
【発明の詳細な説明】
【技術分野】
【０００１】
本発明は、光源装置および投射型表示装置に関する。
【背景技術】
【０００２】
従来のプロジェクタ（投射型表示装置）では、その光源として、古くはハロゲンランプ、近年は高輝度高効率である高圧水銀ランプ（ＵＨＰ）が多く用いられてきた。放電型のランプであるＵＨＰを用いた光源は高圧の電源回路を要し、大型で重く、プロジェクタの小型軽量化の妨げになっていた。また、ハロゲンランプよりは寿命が長いものの依然短寿命である他、光源の制御（高速の点灯、消灯、変調）が略不可能で、また立ち上げに数分という長い時間を要していた。
【０００３】
そこで最近、新しい光源としてＬＥＤ発光体が注目されている。ＬＥＤは超小型・超軽量、長寿命である。また、駆動電流の制御によって、点灯・消灯、出射光量の調整が自由にできる。この点でプロジェクタの光源としても有望であり、既に小型・携帯用の小画面プロジェクタへの応用開発が始まっている（例えば、特許文献１）。
【特許文献１】特開平６−５９２３号公報
【特許文献２】特開平７−１１６１３８号公報
【発明の開示】
【発明が解決しようとする課題】
【０００４】
しかしながら、現在のところＬＥＤを光源とするプロジェクタにおいて十分な輝度を得ることは難しい。これは、ＬＥＤは効率の点でまだＵＨＰの１／２〜１／３程度であり、定格いっぱいの電流を注入しても得られる光量が小さいからである。めざましい技術革新によって上記効率は年々着実に向上しつつあり、数年後には現在のＵＨＰ並みのレベルに達する可能性もあるが、少なくとも近い将来、製品化可能なＬＥＤ光源プロジェクタにおいては、状況は変わらないであろう。なお、光量を稼ぐのにＬＥＤをアレイ化する方法があるが、これは発光点が大きくなることによる光学系としての照明光率の低下を招くので、あまり効果は得られない。
【０００５】
そこで、残された方法として考えられるのは、ＬＥＤの発光量を増やすことである。しかしながら、これは上記の通りＬＥＤの定格の制約があり、最大光量は定格と効率で自動的に決まっている。ＬＥＤの定格電流を決めているのは主に発熱量である。
従来のＬＥＤではパッケージ内にシリコン・ジェル等の熱伝導性の高い流体を満たす等の工夫がされていたが、十分な放熱効果は得られていなかった。このため、発熱によるチップへのダメージにより、定格電流を大きくできず、最大光出力も小さくなっていた。
【０００６】
例えば、上記特許文献１では、ＬＥＤパッケージの外から液体冷媒で冷却しているが、ＬＥＤで集中的に発生する熱を取り除くのには冷却能力が足りず、ＬＥＤの温度を発光効率低下の限界温度以下に保つのは困難であるという問題があった。
また、上記特許文献２では、発光素子を直接冷媒で冷却しているが、装置構成が複雑かつ大型なので、エテンデュの増大を招くとともに等方発光する光の取り出しが困難となり照明効率が低下するという問題があった。
【０００７】
本発明は、上記の課題を解決するためになされたものであって、高輝度な照明が可能な光源装置およびそれを用いた投射型表示装置を提供することを目的とする。
【課題を解決するための手段】
【０００８】
上記目的を達成するために、本発明の光源装置は、光を出射する固体光源と、該固体光源を載置する基板と、を備えた光源装置であって、基板には凹部が形成され、凹部の上には、固体光源が覆うように配置され、凹部と固体光源とで、固体光源と熱交換する冷媒が流動する流路が形成されていることを特徴とする。
【０００９】
すなわち、本発明の光源装置は、流路に冷媒を流動させることにより、固体光源と冷媒とを直接接触させて熱交換させることができる。そのため、固体光源において発生した熱を効率良く冷媒に放熱することができ、固体光源の温度を下げることができる。その結果、固体光源に大電流を流すことができ、大きな光量を取り出し照明に利用することができる。
【００１０】
上記の構成を実現するために、より具体的には、基板の上には、固体光源と電気的に接続される導電層が形成され、凹部が導電層の膜厚と同じ深さに形成されていてもよい。
この構成によれば、導電層をエッチングなどで除去することで凹部を形成することができ、容易に流路を形成することができる。
また、基板に熱伝導率の高い材料を用いることで、基板を介して、冷媒が固体光源から吸収した熱を外部に放熱することができ、個体光源の温度をより下げることができる。
【００１１】
上記の構成を実現するために、より具体的には、基板の上には、固体光源と電気的に接続される導電層が形成され、凹部が導電層の膜厚よりも深く形成されていてもよい。
用いることができる。
この構成によれば、凹部の深さを導電層の膜厚と関係なく所定の深さに形成することができる。そのため、流路を所定の断面積に形成することができ、冷媒の流量を確保しやすくなり、固体光源の熱を効率良く放熱することができる。
【００１２】
上記の構成を実現するために、より具体的には、冷媒と接触する流路の内周面には、絶縁膜が形成されていてもよい。
この構成によれば、絶縁膜により冷媒と固体光源、基板および導電層とが絶縁されるため、導電性のある冷媒も使用することができる。
【００１３】
上記の構成を実現するために、より具体的には、固体光源が基板にフリップチップ実装されていることが望ましい。
この構成によれば、固体光源を基板にフリップチップ実装することにより、固体光源を基板に密着させやすくなり流路を形成しやすくなる。また、最小限のスペースで固体光源を実装できるので、光源装置の小型化を図ることができる。
【００１４】
上記の構成を実現するために、より具体的には、基板には、少なくとも１つ以上の凹部が形成され、複数の固体光源が凹部の上に配置されていてもよい。
この構成によれば、基板の上に複数の固体光源が配置されていても、流路を流れる冷媒が固体光源の熱を放熱するため、複数の固体光源の熱がこもることなくその温度を下げることができる。その結果、複数の固体光源から大きな光量を取り出すことができ、光源装置からより大きな光量を取り出すことができる。
【００１５】
上記の構成を実現するために、より具体的には、基板の固体光源が配置されていない裏面には、放熱凹部が形成され、裏面には放熱部を覆い放熱流路を形成する放熱板が配置され、基板には流路と前記放熱流路とを連通させる連通流路が形成されていてもよい。
この構成によれば、固体光源の熱を吸収した冷媒が、流路から連通流路を経て放熱流路に流れ、吸収した熱を放熱板を介して外部に放出することができる。そのため、冷媒の温度を下げることができ、固体光源の熱をより効率的に放熱することができる。
【００１６】
本発明の投射型表示装置は、光源装置と、光源装置からの光を変調する光変調手段と、光変調手段によって変調された光を投射する投射手段とを備えた投射型表示装置であって、光源装置が、上記本発明の光源装置であることを特徴とする。
【００１７】
すなわち、本発明の投射型表示装置は、上記本発明の光源装置を用いることにより、光源装置から大きな光量を取り出し、明るい画像を投射表示することができる。
【発明を実施するための最良の形態】
【００１８】
〔第１の実施の形態〕
以下、本発明における第１の実施の形態にかかる投射型表示装置について図１から図４を参照しながら説明する。
図１は本実施の形態にかかる投射型表示装置の全体構成を示す概略図である。なお、以下の全ての図面においては、図面を見やすくするため、各構成要素の膜厚や寸法の比率などは適宜異ならせてある。
本実施形態の投射型表示装置１は３板式の液晶プロジェクタであり、図１に示すように、それぞれＲ（赤）、Ｇ（緑）、Ｂ（青）の色光を出射可能な光源装置１０Ｒ、１０Ｇ、１０Ｂと、出射された各色光を変調する透過型の液晶ライトバルブ（光変調手段）２０Ｒ、２０Ｇ、２０Ｂと、変調された各色光を合成してカラー画像にするダイクロイッククロスプリズム３０と、合成されたカラー画像を投射する投射レンズ（投射手段）４０と、から概略構成されている。
【００１９】
図２は本投射型表示装置に備えられた光源装置の一構成例を示す図である。図３は、図２のＡ−Ａ線矢視断面図である。
光源装置１０Ｒ、１０Ｇ、１０Ｂは、その構成が同一で光を出射する固体光源（ＬＥＤチップ）が異なるだけなので、光源装置１０Ｒの構成について説明し、光源装置１０Ｇ、１０Ｂについては説明を省略する。
光源装置１０Ｒは、図２に示すように、Ｒの色光を出射するＬＥＤチップ（固体光源）１１ｒと、ＬＥＤチップ１１ｒを載置する基板１２と、ＬＥＤチップ１１ｒに電力を供給する電極（導電層）１３ａ、１３ｂと、ＬＥＤを冷却する冷媒Ｃを循環させる循環ポンプ（図示せず）と、から概略構成されている。
基板１２は熱伝導率の高い材料（例えばＡｌ）で形成され、基板１２上には、図３に示すように、底面が基板１２、側面が電極１３ａ、１３ｂから構成される溝（凹部）１４が形成されている。
電極１３ａ、１３ｂは、導電性の高い材料（例えば、銅）で形成され、その厚さは３５μｍ、７０μｍなど、さまざまな厚さに形成される。なお、基板１２に用いる材料が導電性を備えた材料の場合には、基板１２と電極１３ａ、１３ｂとの間に絶縁層を配置することが好ましい。
【００２０】
ＬＥＤチップ１１ｒは、基板１２上に溝１４を覆うようにフリップチップ的に面接合されている。基板１２とＬＥＤチップ１１ｒとの隙間は樹脂などによりモールド、密閉され、流路１５が形成されている。なお、この接合に用いる方法としては、通常の半田付けの他、加圧による直接接合や、銀ペーストなどを用いたロウ付けなどを例示することができる。
複数配列されたＬＥＤチップ１１ｒの間には、溝１４を覆う板体１６が配置されている。基板１２と板体１６との間隙、およびＬＥＤチップ１１ｒと板体１６との間隙は樹脂などによりモールド、密閉されている。
流路１５の内周面には、絶縁膜１７が配置され、電極１３ａと電極１３ｂとが冷媒Ｃを介して電気的に接触することを防止している。絶縁膜１７は、ＬＥＤチップ１１ｒを接合する前に溝１４およびＬＥＤチップ１１ｒに形成したり、流路１５を形成した後に流路１５内に絶縁膜１７の材料を流して内周面に形成したり、さまざまな方法で形成することができる。
【００２１】
図４は、本投射型表示装置に備えられた光源装置の変形例を示す断面図である。
なお、溝１４は上述した電極１３ａ、１３ｂの膜厚と略同じ深さのものに限られることなく、図４に示すように、電極１３ａ、１３ｂの膜厚よりも深い溝（凹部）１４′でもよい。この構成の場合、基板１２の材料として熱伝導率が悪い材料（例えば、樹脂など）を用いることができ、溝１４′の加工に機械加工を用いることができる。
また、溝１４′の深さを電極１３ａ、１３ｂの膜厚と関係なく所定の深さに形成することができるため、流路１５を所定の断面積に形成することができ、冷媒Ｃの流量を確保しやすくなり、ＬＥＤチップ１１ｒの熱を効率良く放熱することができる。
【００２２】
冷媒Ｃは、光源装置１０Ｒ、１０Ｇ、１０Ｂに備えられた部材に対して非腐食性である液体または気体から選定される。さらには、熱伝導率が大きい液体または気体が望ましい。液体の冷媒Ｃを用いる場合には、蒸気圧が小さく、凝固点が低く、熱安定性に優れている液体が好ましい。
また、電気絶縁性については特には規定しないが、電気絶縁性を有する冷媒Ｃを用いる場合には、流路１５に絶縁膜１７を設ける必要がなくなる。
【００２３】
光源装置１０Ｒ、１０Ｇ、１０Ｂとこれに対応する液晶ライトバルブ２０Ｒ、２０Ｇ、２０Ｂとの間には照明光の照度分布を液晶ライトバルブ２０Ｒ、２０Ｇ、２０Ｂにおいて均一化させるための照度均一化手段１９として、光源装置側から第１のフライアイレンズ１９１、第２のフライアイレンズ１９２が順次設置されている。第１のフライアイレンズ１９１は複数の２次光源像を形成し、第２のフライアイレンズ１９２は被照明領域である液晶ライトバルブの設置位置においてそれらを重畳する重畳レンズとしての機能を有する。
【００２４】
液晶ライトバルブ２０Ｒ、２０Ｇ、２０Ｂには、画素スイッチング用素子として薄膜トランジスタ（Ｔｈｉｎ  Ｆｉｌｍ  Ｔｒａｎｓｉｓｔｏｒ、以下、ＴＦＴと略記する）を用いたＴＮ（Ｔｗｉｓｔｅｄ  Ｎｅｍａｔｉｃ）モードのアクティブマトリクス方式の透過型の液晶セルが使用されている。
ダイクロイッククロスプリズム３０は、４つの直角プリズムが貼り合わされた構造を有し、その貼り合わせ面３０ａ、３０ｂには誘電体多層膜からなる光反射膜（図示略）が十字状に形成されている。具体的には、貼り合わせ面３０ａには、液晶ライトバルブ２０Ｒで形成された赤色の画像光を反射し、それぞれ液晶ライトバルブ２０Ｇ、２０Ｂで形成された緑色及び青色の画像光を透過する光反射膜が設けられ、貼り合わせ面３０ｂには、液晶ライトバルブ２０Ｂで形成された青色の画像光を反射し、それぞれ液晶ライトバルブ２０Ｒ、２０Ｇで形成された赤色及び緑色の画像光を透過する光反射膜が設けられている。
【００２５】
次に、上記の構成からなる投射型表示装置１における作用について説明する。
光源装置１０Ｒ、１０Ｇ、１０Ｂから出射された各色光は、それぞれ第１のフライアイレンズ１９１、第２のフライアイレンズ１９２を透過することでその光の密度分布に関係なく液晶ライトバルブ２０Ｒ、２０Ｇ、２０Ｂ全面に均一な密度で照射される。
液晶ライトバルブ２０Ｒ、２０Ｇ、２０Ｂに入射された各色光は変調されて、ダイクロイッククロスプリズム３０に入射され、カラー画像に合成されて投射レンズ４０によってスクリーン５０に投射される。
【００２６】
次に、本発明の特徴部である光源装置１０Ｒ、１０Ｇ、１０Ｂにおける作用について説明する。
光源装置１０Ｒ、１０Ｇ、１０Ｂは、その作用が同一なので、光源装置１０Ｒの作用について説明し、光源装置１０Ｇ、１０Ｂについては説明を省略する。
光源装置１０Ｒは、図３に示すように、電極１３ａ、１３ｂからＬＥＤチップ１１ｒに電力を供給されることにより、ＬＥＤチップ１１ｒがＲの色光を出射するとともに熱を発生する。ＬＥＤチップ１１ｒで発生した熱は、流路１５内を循環ポンプにより循環している冷媒Ｃに放熱され、ＬＥＤチップ１１ｒは冷却される。
冷媒Ｃは、基板１２を介して外部に熱を放出することにより、その温度が上昇しすぎるのを防ぎ、冷却能力が低下するのを防止している。
【００２７】
上記の構成によれば、流路１５に冷媒Ｃを流動させることにより、ＬＥＤチップ１１ｒ、１１ｇ、１１ｂと冷媒Ｃとを直接接触させて熱交換させることができる。そのため、ＬＥＤチップ１１ｒ、１１ｇ、１１ｂにおいて発生した熱を効率良く冷媒Ｃに放熱することができ、ＬＥＤチップ１１ｒ、１１ｇ、１１ｂの温度を下げることができる。その結果、ＬＥＤチップ１１ｒ、１１ｇ、１１ｂに大電流を流すことができ、大きな光量を取り出し明るい画像を投射表示することができる。
【００２８】
また、基板１２の上に複数のＬＥＤチップ１１ｒ、１１ｇ、１１ｂが配置されていても、流路１５を流れる冷媒ＣがＬＥＤチップ１１ｒ、１１ｇ、１１ｂの熱を放熱するため、複数のＬＥＤチップ１１ｒ、１１ｇ、１１ｂの熱がこもることなくその温度を下げることができる。その結果、複数のＬＥＤチップ１１ｒ、１１ｇ、１１ｂから大きな光量を取り出すことができ、光源装置１０Ｒ、１０Ｇ、１０Ｂからより大きな光量を取り出しより明るい画像を投射表示することができる。
【００２９】
溝１４が電極１３ａ、１３ｂと膜厚と同じ深さなので、電極１３ａ、１３ｂをエッチングなどで除去することで溝１４を形成することができ、容易に流路１５を形成することができる。
また、基板１２に熱伝導率の高い材料を用いることで、基板１２を介して、冷媒ＣがＬＥＤチップ１１ｒ、１１ｇ、１１ｂから吸収した熱を外部に放熱することができ、ＬＥＤチップ１１ｒ、１１ｇ、１１ｂの温度をより下げることができる。
【００３０】
流路１５の内周面に絶縁膜１７を設けたことにより冷媒ＣとＬＥＤチップ１１ｒ、１１ｇ、１１ｂ、基板１２および電極１３ａ、１３ｂとが絶縁されるため、導電性のある冷媒Ｃも使用することができる。
【００３１】
ＬＥＤチップ１１ｒ、１１ｇ、１１ｂを基板１２にフリップチップ実装することにより、ＬＥＤチップ１１ｒ、１１ｇ、１１ｂを基板１２に密着させやすくなり流路１５を形成しやすくなる。また、最小限のスペースでＬＥＤチップ１１ｒ、１１ｇ、１１ｂを実装できるので、光源装置１０Ｒ、１０Ｇ、１０Ｂの小型化を図ることができ、投射型表示装置１の小型を図ることができる。
【００３２】
〔第２の実施の形態〕
次に、本発明における第２の実施の形態について図５から図６を参照して説明する。
本実施の形態にかかる投射型表示装置の基本構成は、第１の実施の形態と同様であるが、第１の実施の形態とは、光源装置が異なっている。よって、本実施の形態においては、図５および図６を用いて光源装置周辺のみを説明し、液晶ライトバルブ等の説明を省略する。
図５は本実施の形態にかかる光源装置の構成を示す図である。図６は、図５におけるＢ−Ｂ線矢視断面図である。
光源装置６０Ｒ、６０Ｇ、６０Ｂは、その構成が同一で光を出射する固体光源（ＬＥＤチップ）が異なるだけなので、光源装置６０Ｒの構成について説明し、光源装置６０Ｇ、６０Ｂについては説明を省略する。
光源装置６０Ｒは、図５および図６に示すように、Ｒの色光を出射するＬＥＤチップ（固体光源）１１ｒと、ＬＥＤチップ１１ｒを載置する基板６２と、ＬＥＤチップ１１ｒに電力を供給する電極（導電層）６３ａ、６３ｂと、ＬＥＤを冷却する冷媒Ｃを循環させる循環ポンプ（図示せず）と、から概略構成されている。
【００３３】
基板６２の上面には、電極６３ａ、６３ｂと、樹脂からなる絶縁膜６８と、が配置され、電極６３ａ、６３ｂおよび樹脂からなる絶縁膜６８の上面が平坦化されている。これは例えば、基板６２の上面に導電性の高い材料（例えば、銅）の膜を形成し、所定形状（電極６３ａ、６３ｂの形状）にエッチングを行った後、樹脂をコーティングして研磨をかけることで形成することができる。
さらに、基板６２の上面には、ＬＥＤチップ１１ｒよりも一回り小さい冷却用溝（凹部）６４ａが形成されている。冷却用溝６４ａの左右からは上述した電極６３ａ、６３ｂが対向するように配置されている。冷却用溝６４ａ上には、ＬＥＤチップ１１ｒは、冷却用溝６４ａを覆うようにフリップチップ的に面接合されている。基板６２とＬＥＤチップ１１ｒとの隙間は樹脂などによりモールド、密閉され、流路６５ａが形成されている
【００３４】
基板６２の下面には、図６に示すように、冷却用溝６４ａと互い違いになるように放熱用溝（放熱凹部）６４ｂが配置されているとともに、放熱用溝６４ｂは冷却用溝６４ａと略同一形状に形成されている。また、基板６２の下面には例えばＣｕ、Ａｌなどの熱伝導性のよい材料からなる放熱板６９が配置され、放熱用溝６４ｂを塞ぎ流路（放熱流路）６５ｂを形成している。
これら冷却用溝６４ａおよび放熱用溝６４ｂは、ＬＥＤチップ１１ｒの１辺の長さが１〜２ｍｍであるので、機械加工にて形成してもよいし、エッチングにて形成してもよい。
また基板６２には、直径が１００〜３００μｍの孔を設けることにより、冷却用溝６４ａと放熱用溝６４ｂとを連通する連通流路６５ｃが形成されている。
【００３５】
次に、本発明の特徴部である光源装置６０Ｒ、６０Ｇ、６０Ｂにおける作用について説明する。
光源装置６０Ｒ、６０Ｇ、６０Ｂは、その作用が同一なので、光源装置６０Ｒの作用について説明し、光源装置６０Ｇ、６０Ｂについては説明を省略する。
光源装置６０Ｒは、図６に示すように、電極６３ａ、６３ｂからＬＥＤチップ１１ｒに電力を供給されることにより、ＬＥＤチップ１１ｒがＲの色光を出射するとともに熱を発生する。ＬＥＤチップ１１ｒで発生した熱は、流路６５ａ内を循環ポンプにより流れている冷媒Ｃに放熱され、ＬＥＤチップ１１ｒは冷却される。
冷媒Ｃは、循環ポンプに圧送されて流路６４ａまたは流路６４ｂに流入する。まず冷媒Ｃが流路６４ａに流入したとすると、上述のように流路６４ａにおいてＬＥＤチップ１１ｒの熱を奪いその温度が上昇する。温度が上昇した冷媒Ｃは、連通流路６４ｃを通って流路６４ｂに流入する。流路６４ｂにおいて、冷媒Ｃは、その内部に蓄積した熱を放熱板６９を介して外部に放熱し、冷却される。冷却された冷媒Ｃは、再び連通流路６４ｃを通って流路６４ａに流入してＬＥＤチップ１１ｒを冷却する。このように基板６２上のＬＥＤチップ１１ｒを冷却したあと、冷媒は循環ポンプに戻り、上記の過程を繰り返す。
【００３６】
上記の構成によれば、ＬＥＤチップ１１ｒ、１１ｇ、１１ｂの熱を吸収した冷媒Ｃが、流路６４ａから連通流路６４ｃを経て流路６４ｂに流れ、吸収した熱を放熱板６９を介して外部に放出することができる。そのため、冷媒Ｃの温度を下げることができ、ＬＥＤチップ１１ｒ、１１ｇ、１１ｂの熱をより効率的に放熱することができる。
【００３７】
なお、本発明の技術範囲は上記実施形態に限定されるものではなく、本発明の趣旨を逸脱しない範囲において種々の変更を加えることが可能である。
例えば、上記の実施の形態においては、ＬＥＤチップ１１ｒ、１１ｇ、１１ｂが１列に配列された構成に適応して説明したが、１列に配列された構成に限られることなく、マトリクス状に配列された構成や、１個だけ配置された構成など、さまざまな配置構成に適応することができるものである。
また、上記の実施の形態においては、光変調手段として透過型液晶パネルを用いる構成に適応して説明したが、この透過型液晶パネルを用いる構成に限られることなく、反射型液晶パネル（ＬＣＯＳ）や、デジタルマイクロミラーデバイス（ＤＭＤ、登録商標）など、他の光変調手段を用いることができるものである。
【図面の簡単な説明】
【００３８】
【図１】本実施の形態にかかる投射型表示装置の全体構成を示す概略図である。
【図２】本実施の形態にかかる光源装置の構成を示す図である。
【図３】図２におけるＡ−Ａ線矢視断面図である。
【図４】本投射型表示装置に備えられた光源装置の変形例を示す断面図である。
【図５】本実施の形態にかかる光源装置の構成を示す図である。
【図６】図５におけるＢ−Ｂ線矢視断面図である。
【符号の説明】
【００３９】
１・・・投射型表示装置、  １０Ｒ、１０Ｇ、１０Ｂ、６０Ｒ、６０Ｇ、６０Ｂ・・・光源装置、  １１ｒ、１１ｇ、１１ｂ・・・ＬＥＤチップ（固体光源）、  １２、６２・・・基板、  １３ａ、１３ｂ、６３ａ、６３ｂ・・・電極（導電層）、  １４、１４′・・・溝（凹部）、  １５、６５ａ・・・流路、  １７・・・絶縁膜  ２０Ｒ、２０Ｇ、２０Ｂ・・・液晶ライトバルブ（光変調手段）、  ４０・・・投射レンズ（投射手段）、  ６４ａ・・・冷却用溝（凹部）、  ６４ｂ・・・放熱用溝（放熱凹部）、  ６５ｂ・・・流路（放熱流路）、  ６５ｃ・・・連通流路
【図１】
2005079467.tif 000003
【図２】
2005079467.tif 000004
【図３】
2005079467.tif 000005
【図４】
2005079467.tif 000006
【図５】
2005079467.tif 000007
【図６】
2005079467.tif 000008